(57)【特許請求の範囲】
【請求項１】
記録媒体を搬送する第１搬送部と、
前記第１搬送部に対向して配置され、液体を吐出する吐出面を有する第１記録ヘッドと、
前記第１搬送部によって搬送がなされた記録媒体をさらに搬送する第２搬送部と、
前記第２搬送部に対向して配置され、液体を吐出する吐出面を有する第２記録ヘッドと、
前記第１搬送部によって搬送がなされた記録媒体をさらに搬送するものであって、前記第２記録ヘッドの前記吐出面と直交する方向において前記第２記録ヘッドの前記吐出面との間に前記第２搬送部を挟むように一部分が配置され、前記第２搬送部により規定される記録媒体の搬送経路とは異なる経路で記録媒体を搬送する第３搬送部と、
記録媒体を接着しつつ記録媒体に対して搬送力を付与する前記第１搬送部の全体もしくは記録媒体の搬送方向下流側の一部分の角度姿勢を変化させる姿勢変化部とを備え、
前記姿勢変化部は、前記第１搬送部に規定される記録媒体の搬送経路が、前記第２搬送部に規定される記録媒体の搬送経路にならう第１角度姿勢と、前記第３搬送部により規定される記録媒体の搬送経路にならう第２角度姿勢とをとりうるように、前記第１搬送部の角度姿勢を変化させることを特徴とする画像記録装置。
【請求項２】
前記第１搬送部の前記全体もしくは前記一部分を支持する支持部をさらに備え、
前記第１搬送部の前記全体もしくは前記一部分は、記録媒体を支持しつつ走行することにより記録媒体を搬送する無端状の搬送ベルトと、記録媒体を前記搬送ベルトの外周面に接着する接着手段とを有しており、
前記姿勢変化部は、前記搬送ベルトにおける搬送方向上流側を中心として前記支持部を回動させることにより、前記第1搬送部の角度姿勢を変化させる請求項１に記載の画像記録装置。
【請求項３】
前記姿勢変化部は、回転中心が重心とは異なる位置にある偏心カムを有し、
前記支持部は、前記偏心カムと当接し前記偏心カムの回転により位置が変化する当接部を有する請求項２に記載の画像記録装置。
【請求項４】
前記当接部は、前記偏心カムの上方に設けられ、前記当接部の下面と前記偏心カムの上面とが当接する請求項３に記載の画像記録装置。
【請求項５】
前記姿勢変化部は、前記当接部を前記偏心カムに接近させる向きに付勢する付勢部を有する請求項３又は４に記載の画像記録装置。
【請求項６】
前記第１搬送部は、１つの前記搬送ベルトを有しており、
前記支持部は、前記第1搬送部の角度姿勢に関わらず前記搬送ベルトの外周面と前記第１記録ヘッドの吐出面とが所定の間隔を隔てて対向するように前記第１記録ヘッドをさらに支持する請求項２から５のいずれかに記載の画像記録装置。
【請求項７】
前記第１搬送部の前記一部分は、１つの前記搬送ベルトを有しており、
前記第１搬送部は、前記一部分を除いた搬送方向上流側の残りの部分において、記録媒体を前記第1記録ヘッドと対向させつつ搬送する対向搬送部をさらに有する請求項２から５のいずれかに記載の画像記録装置。
【請求項８】
前記第２記録ヘッドの前記吐出面の周囲を覆うように配置された環状のキャップであって、前記第１搬送部が前記第２角度姿勢をとるときに、前記第２搬送部に当接して前記吐出面を封止可能なキャップをさらに備える請求項１〜７のいずれかに記載の画像記録装置。
【発明の詳細な説明】
【技術分野】
【０００１】
本発明は、液体を吐出して画像を記録する画像記録装置に関し、より詳細には、液体の
消費量を抑制しつつ画像品質の低下を抑制することができる画像記録装置に関する。
【背景技術】
【０００２】
特許文献１に記載のインクジェットプリンタは、複数のインクジェットヘッドと、１つ
の搬送ベルトとを備えている。複数のインクジェットヘッドは、インクを吐出する吐出面
をそれぞれ有し、記録媒体の搬送方向に沿って並設されている。搬送ベルトは、記録媒体
が各吐出面と対向するように記録媒体を搬送する。また、上記インクジェットプリンタは
、インクを受け取るトレイと各吐出面を払拭するワイパとを有し、各インクジェットヘッ
ドのメンテナンスを行うメンテナンスユニットを備えている。このインクジェットプリン
タにおいて、インクジェットヘッドのメンテナンスを行う場合には、各インクジェットヘ
ッドの吐出面が搬送ベルトから離間する向きにインクジェットヘッドを移動させた後、ト
レイを吐出面と搬送ベルトとの間に移動させて、吐出面とトレイとを対向させる。そして
、インクジェットヘッドからトレイにインクを吐出した後に、吐出面に付着したインクを
ワイパにより払拭する。
【先行技術文献】
【特許文献】
【０００３】
【特許文献１】特開２００８−２１３２０２号公報
【発明の概要】
【発明が解決しようとする課題】
【０００４】
上記特許文献１に記載のインクジェットプリンタにおいては、モノクロの画像を記録す
る場合など、インクを吐出せず記録に関与しないインクジェットヘッドが少なくとも１つ
ある状態で記録媒体に画像が記録される場合がある。その場合においても、記録媒体は各
吐出面と対向する位置を通過される。このため、記録に寄与しないインクジェットヘッド
の吐出面近傍にも紙粉などの異物が舞い、当該吐出面に異物が付着しやすい。そのため、
全てのインクジェットヘッドに対してメンテナンスを行う必要が生じ、その結果、メンテ
ナンスによるインクの消費量を抑制できないという問題があった。
【０００５】
上記問題を解決する手段として、第1搬送部と、第2搬送部と、第3搬送部と、第1記録ヘ
ッドと、第2記録ヘッドとを備えた画像記録装置が考えられる。第1搬送部は記録媒体を搬
送し、第1記録ヘッドは、第1搬送部によって搬送される最中の記録媒体に対して液体を吐
出する。第2搬送部は、第1搬送部によって搬送がなされた記録媒体をさらに搬送し、第2
記録ヘッドは、第2搬送部によって搬送される最中の記録媒体に対して液体を吐出する。
第3搬送部は、第１搬送部によって搬送がなされた記録媒体をさらに搬送するものであっ
て、第２搬送部により規定される記録媒体の搬送経路とは異なる経路で記録媒体を搬送す
る。そして、第１搬送部によって搬送がなされた記録媒体を、第２搬送部もしくは第３搬
送部に振り分けるために、記録媒体の搬送方向のみを変化させるフラッパが設けられる。
フラッパは姿勢変化可能に設けられ、記録媒体を第１搬送部から第２搬送部に案内する第
１姿勢と、第3搬送部に案内する第２姿勢をとる。このような画像記録装置において、記
録媒体が第３搬送部により搬送される場合には、記録媒体は第２搬送領域を経由しないた
め、液体を吐出せず記録に関与しない第２記録ヘッドの吐出面に異物が付着する恐れが少
ない。そのため、第２記録ヘッドの吐出面に対してメンテナンスを行う必要が生じず、第
２記録ヘッドの液体の消費量を抑制できる。
【０００６】
しかし、このような画像記録装置においては、下記のような問題が生じる。第３搬送部
は第２搬送部により規定される記録媒体の搬送経路とは異なる経路で記録媒体を搬送する
ために、第3搬送部は第２搬送部とは異なる位置に配置される。そのため、例えば、第１
搬送部と第２搬送部との間の経路、及び第１搬送部と第３搬送部との間の経路のうちのい
ずれか一方を屈曲しない経路とすると他方の経路は屈曲した経路となる。そして、記録媒
体が屈曲した経路を搬送される場合には、記録媒体はフラッパにより搬送方向が変化され
る。より詳細には、記録媒体の先端部分がフラッパに衝突することにより記録媒体の搬送
方向が急激に変化される。記録媒体の搬送方向がフラッパにより変化される場合には、記
録媒体の先端部分がフラッパに衝突したときに記録媒体に対して搬送抵抗が生じる。ここ
で、搬送抵抗とは、記録媒体の先端部分が屈曲した経路に突入したときに記録媒体に生じ
る記録媒体の搬送方向と逆方向の力である。記録媒体に搬送抵抗が生じると、記録媒体の
搬送速度が瞬間的に低下する。ここで、記録媒体の先端部分がフラッパに衝突して搬送速
度が変化する瞬間において、記録媒体に対する第１記録ヘッドによる記録が続いていると
すると、記録される画像が乱れる恐れがある。
【０００７】
本発明は、上記課題を解決すべくなされたものであり、その目的は、画像記録装置にお
ける液体の消費量を抑制しつつ搬送速度の瞬間的な変動を抑制することにより画像品質の
低下を抑制する画像記録装置を提供することにある。
【課題を解決するための手段】
【０００８】
請求項１に記載の画像記録装置においては、記録媒体を搬送する第１搬送部と、前記第１搬送部に対向して配置され、液体を吐出する吐出面を有する第１記録ヘッドと、前記第１搬送部によって搬送がなされた記録媒体をさらに搬送する第２搬送部と、前記第２搬送部に対向して配置され、液体を吐出する吐出面を有する第２記録ヘッドと、前記第１搬送部によって搬送がなされた記録媒体をさらに搬送するものであって、前記第２記録ヘッドの前記吐出面と直交する方向において前記第２記録ヘッドの前記吐出面との間に前記第２搬送部を挟むように一部分が配置され、前記第２搬送部により規定される記録媒体の搬送経路とは異なる経路で記録媒体を搬送する第３搬送部と、記録媒体を接着しつつ記録媒体に対して搬送力を付与する前記第１搬送部の全体もしくは記録媒体の搬送方向下流側の一部分の角度姿勢を変化させる姿勢変化部とを備え、前記姿勢変化部は、前記第１搬送部に規定される記録媒体の搬送経路が、前記第２搬送部に規定される記録媒体の搬送経路にならう第１角度姿勢と、前記第３搬送部により規定される記録媒体の搬送経路にならう第２角度姿勢とをとりうるように、前記第１搬送部の角度姿勢を変化させることを特徴とする。
【０００９】
上記構成によれば、記録媒体が第２搬送部において搬送されるときには、第１搬送部の
全体もしくは搬送方向下流側の一部分が第２搬送部により規定される記録媒体の搬送経路
にならうように、第1搬送部が第１角度姿勢をとる。一方、記録媒体が第３搬送部におい
て搬送されるときには、第１搬送部の全体もしくは搬送方向下流側の一部分が第２搬送部
にならうように、第１搬送部が第２角度姿勢をとる。そして、第1搬送部の全体もしくは
搬送方向下流側の一部分は、記録媒体を接着しつつ記録媒体に対して搬送力を付与する。
記録媒体が第1搬送部の全体もしくは搬送方向下流側の一部分に接着されつつ搬送される
ため、第１搬送部が第１角度姿勢にあっても第２角度姿勢にあっても、記録媒体は第１搬
送部の角度姿勢にならって第1搬送部に沿うように搬送される。このように、第１搬送部
の全体もしくは搬送方向下流側の一部分が記録媒体を接着しつつ記録媒体に対して搬送力
を付与し、かつ、その角度姿勢が変化するように第1搬送部が構成されているため、記録
媒体の搬送方向のみを切り換えるフラッパなどの部材と比較して、記録媒体の搬送方向に
おける先端部分が切り換わる箇所において搬送経路周辺部分に衝突することがない。よっ
て、搬送方向が切り換わるときに記録媒体の搬送速度が瞬間的に大きく低下するのを抑制
できる。したがって、搬送方向が切り換わるときに第１記録ヘッドによる液体の吐出が継
続されていたとしても、画像品質の低下を抑制することができる。
【００１０】
請求項２に記載の画像記録装置においては、前記第１搬送部の前記全体もしくは前記一
部分を支持する支持部をさらに備え、前記第１搬送部の前記全体もしくは前記一部分は、
記録媒体を支持しつつ走行することにより記録媒体を搬送する無端状の搬送ベルトと、記
録媒体を前記搬送ベルトの外周面に接着する接着手段とを有しており、前記姿勢変化部は
、前記搬送ベルトにおける搬送方向上流側を中心として前記支持部を回動させることによ
り、前記第1搬送部の角度姿勢を変化させる。
【００１１】
上記構成によれば、第1搬送部の全体もしくは搬送方向下流側の一部分は、搬送ベルト
と、記録媒体を搬送ベルトの外周面に接着する接着手段とを有している。そして、姿勢変
化部は、搬送ベルトにおける搬送方向上流側を中心として搬送ベルトを支持する支持部を
回動させる。記録媒体が搬送ベルトに到達したときに、第１搬送部の角度姿勢に関わらず
、記録媒体は搬送ベルトに接着されるため搬送ベルトに沿って搬送される。そのため、記
録媒体の搬送方向における先端部分が搬送方向の切り換わる箇所において搬送経路周辺部
分に衝突することがない。
【００１２】
請求項３に記載の画像記録装置においては、前記姿勢変化部は、回転中心が重心とは異
なる位置にある偏心カムを有し、前記支持部は、前記偏心カムと当接し前記偏心カムの回
転により位置が変化する当接部を有する。
【００１３】
上記構成によれば、姿勢変化部は、偏心カムの回転により支持部を回動させるため、簡
単な構成で確実に第1搬送部の角度姿勢を変化させることができる。
【００１４】
請求項４に記載の画像記録装置においては、前記当接部は、前記偏心カムの上方に設け
られ、前記当接部の下面と前記偏心カムの上面とが当接する。
【００１５】
上記構成によれば、当接部の下面と偏心カムの上面とが当接することにより、偏心カム
の上面の位置によって支持部の位置が決められる。そのため、支持部を正確に位置決めす
ることができ、第１搬送部を第２搬送部及び第３搬送部に精度良くならわせることができ
る。
【００１６】
請求項５に記載の画像記録装置においては、前記姿勢変化部は、前記当接部を前記偏心
カムに接近させる向きに付勢する付勢部を有する。
【００１７】
上記構成によれば、当接部を偏心カムに当接させる付勢部が設けられているため、当接
部を確実に偏心カムのカム面に追従させて変位させることができる。
【００１８】
請求項６に記載の画像記録装置においては、前記第１搬送部は、１つの前記搬送ベルト
を有しており、前記支持部は、前記第1搬送部の角度姿勢に関わらず前記搬送ベルトの外
周面と前記第１記録ヘッドの吐出面とが所定の間隔を隔てて対向するように前記第１記録
ヘッドをさらに支持する。
【００１９】
上記構成によれば、第１搬送部は、１つの搬送ベルトを有している。そのため、記録媒
体が第１搬送部から第２搬送部に搬送される場合であっても、第１搬送部から第３搬送部
に搬送される場合であっても、装置の大型化を防ぎつつ記録媒体の搬送経路の屈曲を緩や
かに形成することができる。記録媒体の先端部分が第２搬送部に到達したとき、もしくは
、第３搬送部に到達したときに、記録媒体の先端部分が搬送経路周辺部分に衝突すること
なく搬送される。よって、記録媒体に対して生じる搬送抵抗が抑制され、記録媒体の搬送
速度が瞬間的に大きく低下するのを抑制できる。したがって、記録媒体の先端部分が第２
搬送部に到達したとき、もしくは、第３搬送部に到達したときに、記録媒体に対する第１
記録ヘッドによる記録が続いていたとしても、画像品質の低下を抑制することができる。
また、支持部は第1搬送部の角度姿勢に関わらず搬送ベルトの外周面と第１記録ヘッドの
吐出面とが所定の間隔を隔てて対向するように第１記録ヘッドを支持している。つまり、
第１搬送部の角度姿勢に伴って第１記録ヘッドの角度姿勢も変化する。よって、搬送ベル
トによって搬送される記録媒体に対して第１記録ヘッドによる画像の記録を安定して行う
ことができる。
【００２０】
請求項７に記載の画像記録装置においては、前記第１搬送部の前記一部分は、１つの前
記搬送ベルトを有しており、前記第１搬送部は、前記一部分を除いた搬送方向上流側の残
りの部分において、記録媒体を前記第1記録ヘッドと対向させつつ搬送する対向搬送部を
さらに有する。
【００２１】
上記構成においては、第１搬送部の前記一部分は、１つの搬送ベルトを有している。そして、第１搬送部は、第1搬送部の前記一部分を除いた搬送方向上流側の残りの部分において、記録媒体を第1記録ヘッドと対向させつつ搬送する対向搬送部をさらに有している。記録媒体の先端部分が搬送ベルトに到達したときに、記録媒体は搬送ベルトの外周面に接着されて搬送ベルトに沿って搬送される。そのため、記録媒体の先端部分が搬送経路周辺部分に衝突することなく搬送される。したがって、記録媒体に対して生じる搬送抵抗が抑制され、記録媒体の搬送速度が瞬間的に大きく低下するのを抑制できる。記録媒体の先端部分が搬送ベルトに到達したときに、記録媒体に対する第１記録ヘッドによる記録が続いていたとしても、画像品質の低下を抑制することができる。
請求項８に記載の画像記録装置においては、前記第２記録ヘッドの前記吐出面の周囲を覆うように配置された環状のキャップであって、前記第１搬送部が前記第２角度姿勢をとるときに、前記第２搬送部に当接して前記吐出面を封止可能なキャップをさらに備える。
【発明の効果】
【００２２】
本発明によれば、画像記録装置における液体の消費量を抑制しつつ記録媒体の搬送速度
の瞬間的な変動を抑制して画像品質の低下を抑制することができる。
【図面の簡単な説明】
【００２３】
【図１】本発明の第１実施形態に係るインクジェットプリンタ１の内部構造であって第１搬送部７が第１角度姿勢にあるときの内部構造を示す概略側面図である。
【図２】本発明の第１実施形態に係るインクジェットプリンタ１の内部構造であって第１搬送部７が第２角度姿勢にあるときの内部構造を示す概略側面図である。
【図３】図１に示すインクジェットプリンタ１の内部構造を示す斜視図である。
【図４】図１に示すインクジェットプリンタ１の内部構造を示す斜視図であって、図３に示すメインフレーム４を取り除いた状態における第１搬送部７、第１記録ヘッド９、姿勢変化部２１を示す斜視図である。
【図５】図４に示す一対の壁１０３、１０４及び搬送ベルト３７を切断して第１搬送部７及び第１記録ヘッド９を左方から見た部分断面図である。
【図６】本発明の第２実施形態に係るインクジェットプリンタ２０１の内部構造であって搬送ベルト２０７が第１角度姿勢にあるときの内部構造を示す概略側面図である。
【図７】本発明の第２実施形態に係るインクジェットプリンタ２０１の内部構造であって搬送ベルト２０７が第２角度姿勢にあるときの内部構造を示す概略側面図である。
【発明を実施するための形態】
【００２４】
以下、本発明の好適な実施の形態について、図面を参照しつつ説明する。
【００２５】
［第１実施形態］
以下の説明においては、本発明の第１実施形態に係るインクジェットプリンタ１が使用
可能に設置された図１に示す状態を基準として上下方向、前後方向、左右方向を定義する
。なお、図１において紙面垂直方向手前側を前側、奥行き側を後側とする。インクジェッ
トプリンタ１は、図１に示すように、直方体形状の筐体２を有しており、上部に排紙トレ
イ３が設けられている。筐体２内には、給紙部５、第１搬送部７、第１記録ヘッド９、第
２搬送部１１、第２記録ヘッド１３、第３搬送部１５、排紙部１７、再搬送部１９が設け
られる。さらに、筐体２内には、第１支持部９３（図４参照）、姿勢変化部２１（図４参
照）、第２支持部１１９（図３参照）、制御部１００が設けられる。
【００２６】
以下に、各構成部について簡単に説明する。給紙部５は、用紙を第１搬送部７へ送り出
すものである。第１搬送部７は、給紙部５によって搬送がなされた用紙を搬送するもので
ある。第１記録ヘッド９は、第１搬送部７によって搬送される最中の用紙に対してインク
を吐出するものである。第２搬送部１１は、第１搬送部７によって搬送がなされた用紙を
さらに搬送するものである。第２記録ヘッド１３は、第２搬送部１１によって搬送される
最中の用紙に対してインクを吐出するものである。第３搬送部１５は、第１搬送部７によ
って搬送がなされた用紙をさらに搬送するものであって、第２搬送部１１により規定され
る用紙の搬送経路とは異なる経路で記録媒体を搬送するものである。排紙部１７は、第２
搬送部１１もしくは第３搬送部１５によって搬送がなされた用紙を排紙トレイ３へ排出す
るものである。再搬送部１９は、排紙部１７によって排出する方向とは反対方向に搬送さ
れた用紙を第１搬送部７へ搬送するものである。第１支持部９３（図４参照）は、第１搬
送部７及び第１記録ヘッド９を支持するものである。姿勢変化部２１（図４参照）は、第
１支持部９３を回動させて、第１搬送部７及び第１記録ヘッド９の角度姿勢を変化させる
ものである。第２支持部１１９（図３参照）は、第２搬送部１１及び第２記録ヘッド１３
を支持するものである。制御部１００は、これらの各構成部（給紙部５、第１搬送部７、
第１記録ヘッド９、第２搬送部１１、第２記録ヘッド１３、第３搬送部１５、排紙部１７
、再搬送部１９、姿勢変化部２１）の動作を制御するものである。以下にインクジェット
プリンタ１の各構成部の詳細を説明する。
【００２７】
＜メインフレーム４＞
図３に示すように、筐体２内には、前方及び後方に一対の板状のメインフレーム４が立
設される。メインフレーム４は、インクジェットプリンタ１の各構成部（給紙部５、第１
搬送部７、第１記録ヘッド９、第２搬送部１１、第２記録ヘッド１１、第３搬送部１５、
排紙部１７、再搬送部１９、第１支持部９３、姿勢変化部２１、第２支持部１１９）を支
持する。一対のメインフレーム４には、後述するベルトローラ３３が挿入される貫通孔９
４がそれぞれ設けられる。また、一対のメインフレーム４には、後述するベルトローラ５
５、５７が挿入される貫通孔（不図示）がそれぞれ設けられる。一対のメインフレーム４
のうちの前側のメインフレームには、後述する付勢部１０１が取り付けられる支持板１０
９が設けられる。支持板１０９は、メインフレーム４と一体的に形成され、後方に向けて
突出している。貫通孔９４及び支持板１０９については後述する。
【００２８】
＜給紙部５＞
図１に示すように、給紙部５は、給紙カセット２３と給紙ローラ２７と搬送ガイド２９
と搬送ローラ対３１とを有している。
【００２９】
給紙カセット２３は、筐体２の下部に配置されている。給紙カセット２３は積載された
複数の用紙を収容可能であり、上面が開放された箱型の形状である。給紙カセット２３は
、筐体２に挿抜可能に構成される。
【００３０】
給紙ローラ２７は、給紙カセット２３の上部に配置されている。給紙ローラ２７は、メ
インフレーム４に回転可能に支持される。給紙ローラ２７は、給紙カセット２３に収容さ
れた最も上方に位置する用紙と接触可能である。給紙ローラ２７は、制御部１００の指令
を受けることによって駆動される図示しないモータによって回転させられるものであり、
当該用紙と接触しながら回転することで当該用紙を搬送ガイド２９に向けて送り出す。
【００３１】
搬送ガイド２９は、給紙カセット２３の左上に配置されており、上方に向かって湾曲し
ながら延在している。搬送ガイド２９は、メインフレーム４に固定される。搬送ガイド２
９は、給紙カセット２３から送り出された用紙を第１搬送部７に向けて上方に案内する。
【００３２】
搬送ローラ対３１は、搬送ガイド２９の途中に配置されている。搬送ローラ対３１は、
メインフレーム４に回転可能に支持される。搬送ローラ対３１の一方のローラは、制御部
１００の指令を受けることによって駆動されるモータ（不図示）によって回転されられる
駆動ローラであり、他方のローラは駆動ローラの回転に伴って回転する従動ローラである
。搬送ローラ対３１は、搬送ガイド２９によって案内される用紙を第１搬送部７に向けて
送り出す。
【００３３】
＜第１支持部９３＞
図４に示すように、第１支持部９３は、第１搬送部７及び第１記録ヘッド９を支持する
。なお、図４は、前方のメインフレーム４を取り除いた状態の斜視図であるが、説明を分
かりやすくするために、メインフレーム４に一体に形成された支持板１０９は取り除かず
に示されている。
【００３４】
図３に示すように、第１支持部９３は、メインフレーム４に回動可能に支持される。第
１支持部９３は、後述するベルトローラ３３を介してメインフレーム４に支持され、ベル
トローラ３３を回動中心として回動する。第１支持部９３の回動により、第１搬送部７及
び第１記録ヘッド９の角度姿勢が変化する。第１支持部９３は、後述する姿勢変化部２１
により回動される。図４に示すように第１支持部９３は、４つの壁１０３、１０４、１０
５、１０６と、当接部９９とを有する。
【００３５】
壁１０３、１０４は、前方及び後方に設けられる板状の部材である。壁１０３、１０４
は、一対のメインフレーム４より内側にそれぞれ設けられる。壁１０３、１０４は、後述
するベルトユニット６及び第１記録ヘッド９を前後から挟み込むように配置される。
【００３６】
壁１０３、１０４には、後述するベルトローラ３３、３５が挿入される貫通孔１２０、
１２１がそれぞれ設けられる。ベルトローラ３３は、壁１０３、１０４の貫通孔１２０及
びメインフレーム４の貫通孔９４に回転可能に挿入される。これにより、第１支持部９３
は、ベルトローラ３３を回転中心として回動する。
【００３７】
壁１０３、１０４には、図５に示すように支持片１０７、１０８がそれぞれ設けられる
。支持片１０７、１０８は、それぞれ内側に向かうように突出している。支持片１０７、
１０８は、後述する第１記録ヘッド９を支持する。
【００３８】
壁１０３、１０４のうちの前方に位置する壁１０４には当接部９９が設けられる。当接
部９９は、壁１０４の下端部から前方に向かって突出している。図５に示すように、当接
部９９は、下面１００を有し、下面１００は後述する偏心カム１１１の上面と当接する。
偏心カム１１１の回転に伴って当接部９９が上下に移動することにより、第１支持部９３
は回動する。
【００３９】
壁１０５、１０６は、壁１０３、１０４の間を繋ぐように延在する板状の部材である。
壁１０５、１０６は、第１記録ヘッド９を左右から挟み込むように配置される。
【００４０】
＜第１搬送部７＞
図１及び図２に示すように、第１搬送部７は、給紙部５によって搬送がなされた用紙を
右方に搬送する。第１搬送部７は、１つのベルトユニット６により構成される。ベルトユ
ニット６は、ベルトローラ３３、３５と搬送ベルト３７とプラテン板４０と押えローラ３
９と第１帯電ローラ４１とを有している。ベルトユニット６は、第１帯電ローラ４１を除
いて第１支持部９３に固定される。ベルトユニット６の角度姿勢は、第１支持部９３の回
動に伴って、図１に示す第１角度姿勢と図２に示す第２角度姿勢とに変化する。ベルトユ
ニット６の角度姿勢については後述する。
【００４１】
図１に示すように、ベルトローラ３３、３５は左右方向に並設され、それぞれ前後方向
に延びている。ベルトローラ３３、３５のうち左側に配置されたベルトローラ３３は、制
御部１００の指令を受けることによって駆動されるモータ（不図示）によって回転させら
れる駆動ローラであり、右側に配置されたベルトローラ３５は従動ローラである。つまり
、ベルトローラ３３、３５のうちの用紙の搬送方向上流側に配置されたローラが駆動ロー
ラである。ベルトローラ３３の回転軸はグランド接続されている。ベルトローラ３３は、
モータの駆動力により図１中時計回りに回転する。ベルトローラ３５は、ベルトローラ３
３の回転が搬送ベルト３７を介して伝達されることにより図１中時計回りに回転する。
【００４２】
図４に示すように、ベルトローラ３３は、第１支持部９３の壁１０３、１０４に設けら
れた貫通孔１２０に回転可能に挿入されている。また、ベルトローラ３３は、メインフレ
ーム４に設けられた貫通孔９４に回転可能に挿入されている。一方、ベルトローラ３５は
、第１支持部９３の壁１０３、１０４に設けられた貫通孔１２１に回転可能に挿入されて
いる。
【００４３】
搬送ベルト３７は、ベルトローラ３３、３５に架け渡されるように巻き回された無端状
のベルトである。ベルトローラ３３がモータの駆動力により図１中時計回りに回転すると
き、搬送ベルト３７の第１記録ヘッド９と対向する上側の面は、図１において左方から右
方へ走行する。搬送ベルト３７は、搬送ベルト３７の外周面のうちの上側の面である支持
面３８において用紙を支持しつつ走行することで、用紙を右方に搬送する。つまり、第１
搬送部７によって規定される用紙の搬送経路は、搬送ベルト３７の支持面３８によって規
定される。
【００４４】
プラテン板４０は、搬送ベルト３７の支持面３８側において搬送ベルト３７の内周面と
接触するように配置され、搬送ベルト３７を支持する。プラテン板４０は、第１支持部９
３に固定される。プラテン板４０によって、搬送ベルト３７の支持面３８は平面状に支持
される。
【００４５】
押えローラ３９は、ベルトローラ３３の上部に配置され、搬送ベルト３７の外周面に当
接している。押えローラ３９は、搬送ガイド２９によって案内された用紙を搬送ベルト３
７に対して押さえつける。用紙の搬送方向において押えローラ３９より下流側には、用紙
センサ４４が配置されている。用紙センサ４４は、搬送ベルト３７によって搬送された用
紙を検知し、検知信号を制御部１００に出力する。押えローラ３９及び用紙センサ４４は
、第１支持部９３に支持される。
【００４６】
第１帯電ローラ４１は、ベルトローラ３３の左側に配置され、搬送ベルト３７の外周面
に当接している。第１帯電ローラ４１は、メインフレーム４に回転可能に支持される。第
１帯電ローラ４１の回転軸は金属材料から構成されており、第１帯電ローラ４１の外周部
は絶縁性または半導電性を有する弾性材料から構成されている。第１帯電ローラ４１の回
転軸は、制御部１００の指令を受けることによって駆動される第１直流電源４３の正極と
接続されている。第１直流電源４３の負極はグランド接続されている。なお、第１帯電ロ
ーラ４１は、第１支持部９３に支持されていても良い。
【００４７】
第１帯電ローラ４１の回転軸に所定の電圧が第１直流電源４３から供給されると、第１
帯電ローラ４１から搬送ベルト３７へ放電が発生する。第１帯電ローラ４１からの放電に
より、搬送ベルト３７にはプラス電荷が帯電する。搬送ガイド２９から搬送ベルト３７に
用紙が案内されると、用紙は押えローラ３９によって搬送ベルト３７に圧接される。ここ
で、搬送ベルト３７には第１帯電ローラ４１からの放電によりプラス電荷が帯電している
。そのため、搬送ベルト３７に圧接された用紙の搬送ベルト３７側にはマイナス電荷が誘
起され、用紙が搬送ベルト３７に接着される。用紙が搬送ベルト３７に接着された状態で
、搬送ベルト３７が走行することで、用紙は搬送ベルト３７の支持面３８に沿って図１に
おいて左方から右方へ搬送される。ベルトローラ３３、第１帯電ローラ４１、第１直流電
源４３が、搬送ベルト３７に用紙を接着させる接着力を発生させる接着手段である。
【００４８】
以上説明したように、第１搬送部７を構成するベルトユニット６は、第１帯電ローラ４
１を除いて第１支持部９３に支持されている。ここで、第１支持部９３はベルトローラ３
３を介してメインフレーム４に支持され、第１支持部９３はベルトローラ３３を回転中心
として回動する。第１搬送部７の角度姿勢は、第１支持部９３の回動に伴って、第１角度
姿勢と第２角度姿勢とに変化する。図１に示すように、第１搬送部７が第１角度姿勢にあ
るとき、ベルトローラ３５はベルトローラ３３と同じ高さに位置する。第１搬送部７が第
１角度姿勢にあるとき、搬送ベルト３７の支持面３８は水平面に沿っている。そのため、
搬送ベルト３７によって搬送される用紙は、水平に位置する搬送ベルト３７の支持面３８
に沿って右方に搬送される。一方、図２に示すように、第１搬送部７が第２角度姿勢にあ
るとき、ベルトローラ３５はベルトローラ３３よりも下方に位置する。第１搬送部７が第
２角度姿勢にあるとき、搬送ベルト３７の支持面３８は右下がりに斜めに傾いている。そ
のため、搬送ベルト３７によって搬送される用紙は、搬送ベルト３７の支持面３８に沿っ
て右斜め下方に搬送される。
【００４９】
＜第１記録ヘッド９＞
第１記録ヘッド９は、制御部１００の指令を受けることによって駆動されるものであり
、第１搬送部７によって搬送される最中の用紙に対してインクを吐出する。第１記録ヘッ
ド９は、ブラックのインクを吐出するモノクロ用の記録ヘッドである。図３に示すように
第１記録ヘッド９は、前後方向に長尺な略直方体形状である。第１記録ヘッド９は、ブラ
ックのインクを収容するインクタンク（不図示）から供給されたインクを、底面に設けら
れた複数の吐出口から吐出する。図１に示すように、第１記録ヘッド９の底面には、複数
の吐出口が設けられた吐出面４５が形成されている。
【００５０】
第１記録ヘッド９は、吐出面４５と搬送ベルト３７の支持面３８とが所定の間隔を隔て
て対向するように位置決めされて、第１支持部９３に支持される。具体的には、図５にお
いて、第１記録ヘッド９の前方及び後方の一対の側面４７、４９には、外側に向けて突出
された第１突出部５１、５３がそれぞれ設けられている。第１記録ヘッド９は、第１突出
部５１、５３が第１支持部９３の支持片１０７，１０８に固定されることにより第１支持
部９３に支持される。
【００５１】
第１記録ヘッド９の角度姿勢は第１支持部９３の回動に伴って変化し、第１記録ヘッド
９の吐出面４５と搬送ベルト３７の支持面３８との間隔が、第１搬送部７の角度姿勢に関
わらず一定である。具体的には、図１に示すように、第１搬送部７が第１角度姿勢にある
とき、第１記録ヘッド９の吐出面４５は、搬送ベルト３７の支持面３８と平行となるよう
に水平面に沿っている。一方、図２に示すように、第１搬送部７が第２角度姿勢にあると
き、第１記録ヘッド９の吐出面４５は、搬送ベルト３７の支持面３８と平行となるように
右下がりに斜めに傾いている。吐出面４５と支持面３８との間隔が常に一定であるため、
第１記録ヘッド９による画像記録を安定して行うことができる。ここで、所定の間隔とは
、用紙の印刷面が吐出面４５と接触せず、しかもインク液滴の正確な着弾位置を確保でき
る間隔であって、画像の記録を行うのに適した間隔である。
【００５２】
＜第２支持部１１９＞
図３に示すように、第２支持部１１９は、第２搬送部１１及び第２記録ヘッド１３を支
持する。
【００５３】
第２支持部１１９は、メインフレーム４に固定される。第２支持部１１９は、第１支持
部９３と同様な壁１２２、１２３、１２４、１２５を有する。前方及び後方に設けられる
板状の部材である。
【００５４】
壁１２２、１２３は、一対のメインフレーム４より内側にそれぞれ設けられる。壁１２
２、１２３は、後述するベルトユニット１２（図１参照）及び第２記録ヘッド１３を前後
から挟み込むように配置される。
【００５５】
壁１２２、１２３には、後述するベルトローラ５５、５７が挿入される貫通孔（不図示
）がそれぞれ設けられる。ベルトローラ５５、５７は、壁１２２、１２３の貫通孔及びメ
インフレーム４の貫通孔（不図示）に回転可能に挿入される。
【００５６】
壁１２２，１２３には、支持片１０７、１０８と同様に、支持片（不図示）がそれぞれ
設けられる。支持片は、それぞれ内側に向かうように突出している。支持片は、後述する
第２記録ヘッド１３を支持する。
【００５７】
壁１２４、１２５は、壁１２２、１２３の間を繋ぐように延在する板状の部材である。
壁１２４、１２５は、第１記録ヘッド１３を左右から挟み込むように配置される。
【００５８】
＜第２搬送部１１＞
図１に示すように、第２搬送部１１は、第１角度姿勢にある第１搬送部７によって搬送
がなされた用紙をさらに右方に搬送する。第１角度姿勢にある第１搬送部７と、第２搬送
部１１とによって搬送される用紙は、図１中の太矢印（黒矢印）に沿って搬送される。第
２搬送部１１は、１つのベルトユニット１２により構成される。ベルトユニット１２は、
ベルトユニット６と同様にベルトローラ５５、５７と搬送ベルト５９とプラテン板６３と
第２帯電ローラ（不図示）とを有している。ベルトユニット１２は、第２支持部１１９を
介してメインフレーム４に固定される。ここで、第１角度姿勢にあるベルトユニット６と
ベルトユニット１２との間には水平面に沿って延びる搬送ガイド６７が設けられている。
搬送ガイド６７は第１角度姿勢にあるベルトユニット６によって搬送された用紙を、ベル
トユニット１２に向けて案内する。搬送ガイド６７は、メインフレーム４に固定される。
【００５９】
ベルトローラ５５、５７は左右方向に並設され、それぞれ前後方向に延びている。ベル
トローラ５５、５７は互いに同じ高さに配置されており、ベルトローラ３３と同じ高さに
配置されている。左側のベルトローラ５５は制御部１００の指令を受けることによって駆
動されるモータ（不図示）によって回転させられる駆動ローラであり、右側のベルトロー
ラ５７は従動ローラである。ベルトローラ５５の回転軸はグランド接続されている。ベル
トローラ５５は、モータの駆動力により図１中時計回りに回転する。ベルトローラ５５、
５７は、第２支持部１１９の壁１２２、１２３に設けられた貫通孔に挿入され、かつ、メ
インフレーム４に設けられた貫通孔に挿入される。
【００６０】
搬送ベルト５９は、ベルトローラ５５、５７に架け渡されるように巻き回された無端状
のベルトである。ベルトローラ５５がモータの駆動力により図１中時計回りに回転すると
き、搬送ベルト５９の上側の面は図１において左方から右方へ走行する。搬送ベルト５９
は、搬送ベルト５９の外周面のうちの上側の面である支持面６０において用紙を支持しつ
つ走行することで、用紙を右方に搬送する。つまり、第２搬送部１１によって規定される
用紙の搬送経路は、搬送ベルト５９の支持面６０によって規定される。搬送ベルト５９の
支持面６０は水平面に沿っているため、搬送ベルト５９によって搬送される用紙は水平面
に沿って右方に搬送される。
【００６１】
プラテン板６３は、搬送ベルト５９の支持面６０側において搬送ベルト５９の内周面と
接触するように配置され、搬送ベルト５９を支持している。プラテン板６３は、第２支持
部１１９に固定される。プラテン板６３によって、搬送ベルト５９の支持面６０は平面状
に支持される。
【００６２】
第２帯電ローラ（不図示）は、第１帯電ローラ４１と同様の構成を有しており、ベルト
ローラ５５に近接して配置され、搬送ベルト５９の外周面に当接している。第２帯電ロー
ラは、第２支持部１１９に回転可能に支持される。第２帯電ローラの回転軸は金属材料か
ら構成されており、第２帯電ローラの外周部は絶縁性または半導電性を有する弾性材料か
ら構成されている。第２帯電ローラの回転軸は、制御部１００の指令を受けることによっ
て駆動される第２直流電源（不図示）の正極と接続されている。第２直流電源の負極はグ
ランド接続されている。
【００６３】
第２帯電ローラは、第２直流電源から所定の電圧が供給されると搬送ベルト５９へ放電
する。第２帯電ローラからの放電により、搬送ベルト５９にはプラス電荷が帯電する。搬
送ガイド６７から搬送ベルト５９に用紙が搬送されると、用紙は搬送ベルト５９に接着さ
れる。用紙が搬送ベルト５９に接着された状態で、搬送ベルト５９が走行することで、用
紙は搬送ベルト５９の支持面６０に沿って図１において左方から右方へ搬送される。ベル
トローラ５５、第２帯電ローラ、第２直流電源が、搬送ベルト５９に用紙を接着させる接
着力を発生させる手段である。
【００６４】
＜第２記録ヘッド１３＞
第２記録ヘッド１３は、制御部１００の指令を受けることによって駆動されるものであ
り、第２搬送部１１によって搬送される最中の用紙に対してインクを吐出する。第２記録
ヘッド１３は、マゼンタ、シアン、イエローのインクをそれぞれ吐出するカラー用の３つ
の記録ヘッドである。図３に示すように、第２記録ヘッド１３は、前後方向に長尺な略直
方体形状である。第２記録ヘッド１３は、各色のインクを収容するインクタンク（不図示
）から供給されたインクを、底面に設けられた複数の吐出口から吐出する。図１に示すよ
うに、第２記録ヘッド１３の底面には、複数の吐出口が設けられた吐出面６９が形成され
ている。
【００６５】
図３に示すように、第２記録ヘッド１３は、吐出面６９と搬送ベルト５９の支持面６０
とが所定の間隔を隔てて対向するように位置決めされて、第２支持部１１９に支持される
。具体的には、第２記録ヘッド１３の前方及び後方の一対の側面には、外側に向けて突出
された第２突出部（不図示）が、第１突出部５１、５３と同様にそれぞれ設けられている
。第２記録ヘッド１３は、第２突出部が第２支持部１１９の支持片に固定されることによ
り第２支持部１１９に支持される。
【００６６】
＜第３搬送部１５＞
図２に示すように、第３搬送部１５は、第２角度姿勢にある第１搬送部７によって搬送
がなされた用紙をさらに右方に搬送するものであって、第２搬送部１１により規定される
用紙の搬送経路とは異なる経路で用紙を搬送する。つまり、第３搬送部１５は、第２搬送
部１１を迂回して用紙を搬送する。第２角度姿勢にある第１搬送部７及び第３搬送部１５
によって搬送される用紙は、図２中の太矢印（黒矢印）に沿って搬送される。第３搬送部
１５は、搬送ガイド７１、７３と拍車ローラ７５と搬送ローラ対７７、７８、７９とを有
している。
【００６７】
搬送ガイド７１は、第１搬送部７が第２角度姿勢にあるときのベルトローラ３５の右斜
め下からさらに右斜め下に向けて延在している。搬送ガイド７１は、メインフレーム４に
固定される。搬送ガイド７１は、第２角度姿勢にある第１搬送部７によって搬送された用
紙をさらに右斜め下に向けて案内する。
【００６８】
搬送ガイド７３は、搬送ガイド７１の下端から右方に延在した後、上方に向かって湾曲
しながら延在している。搬送ガイド７３は、メインフレーム４に固定される。搬送ガイド
７３は、搬送ガイド７１によって案内された用紙を案内する。つまり、第３搬送部１５に
よって規定される用紙の搬送経路は、搬送ガイド７１、７３によって規定される。
【００６９】
拍車ローラ７５は、搬送ガイド７１の途中に配置され、外周面が拍車状の回転可能なロ
ーラである。拍車ローラ７５は、メインフレーム４に回転可能に支持される。第２角度姿
勢にある第１搬送部７によって搬送される用紙の先端が拍車ローラ７５に当接したとして
も、拍車ローラ７５が回転することにより用紙の搬送抵抗が抑制される。また、拍車ロー
ラ７５は、用紙の記録済みの面に当接するが、拍車状のローラであるため、記録された画
像を乱す恐れがほとんどない。なお、拍車ローラ７５はモータによって駆動されるローラ
であっても良い。また、拍車ローラ７５を備えていなくても良い。
【００７０】
搬送ローラ対７７、７８、７９は、搬送ガイド７３の途中に配置されている。搬送ロー
ラ対７７、７８、７９は、メインフレーム４に回転可能に支持される。搬送ローラ対７７
、７８、７９の各々の一方のローラは制御部１００の指令を受けることによって駆動され
るモータ（不図示）によって回転させられる駆動ローラであり、他方のローラは駆動ロー
ラの回転に伴って回転する従動ローラである。搬送ローラ対７７、７８、７９は、搬送ガ
イド７３によって案内される用紙を排紙部１７に向けて送り出す。
【００７１】
＜排紙部１７＞
排紙部１７は、第２搬送部１１もしくは第３搬送部１５によって搬送がなされた用紙を
排紙トレイ３へ搬送する。排紙部１７は、搬送ガイド８１と、搬送ローラ対８５、８７と
を有する。
【００７２】
搬送ガイド８１は、第２搬送部１１の右端及び第３搬送部１５の上端から上方に向かっ
て延在している。搬送ガイド８１は、メインフレーム４に固定される。搬送ガイド８１は
、第２搬送部１１もしくは第３搬送部１５によって搬送がなされた用紙を上方に向けて案
内する。
【００７３】
搬送ローラ対８５、８７は、搬送ガイド８３の途中に配置されている。搬送ローラ対８
５、８７は、メインフレーム４に回転可能に支持される。搬送ローラ対８５、８７の各々
の一方のローラは制御部１００の指令を受けることによって駆動されるモータ（不図示）
によって回転させられる駆動ローラであり、他方のローラは駆動ローラの回転に伴って回
転する従動ローラである。搬送ローラ対８５、８７のうちの下方に配置された搬送ローラ
対８５は、搬送ガイド８１によって案内された用紙を上方に搬送する。なお、搬送ローラ
対８５近傍には、用紙センサ８８が配置されている。用紙センサ８８は第２搬送部１１も
しくは第３搬送部１５から搬送された用紙を検知し、検知信号を制御部１００に出力する
。搬送ローラ対８５、８７のうちの上方に配置された搬送ローラ対８７は、用紙を排紙ト
レイ３に排紙する場合には、搬送ローラ対８７は正転して、搬送ガイド８１によって案内
された用紙を排紙トレイ３に排紙する。一方、用紙を後述する再搬送部１９に案内する場
合には、搬送ローラ対８７は正転した後、用紙の後端が搬送ローラ対８７に挟持された状
態で逆転して用紙を再搬送部１９に向けて搬送する。
【００７４】
＜再搬送部１９＞
再搬送部１９は、用紙を排紙部１７から第１搬送部７へ搬送する。再搬送部１９を経由
して搬送された用紙は表裏が反転される。再搬送部１９によって搬送される用紙は図１及
び図２中の太矢印（ハッチングが施された矢印）に沿って搬送される。再搬送部１９は、
搬送ガイド７３、８９と、搬送ローラ対７８、７９、９１とを有している。ここで、再搬
送部１９と第３搬送部１５とは、搬送ガイド７３と搬送ローラ対７８、７９とを共用して
いる。
【００７５】
搬送ガイド７３は、搬送ローラ対８７の逆転によって搬送される用紙を下方斜め左に向
けて案内する。
【００７６】
搬送ガイド８９は、搬送ガイド７３及び搬送ガイド７１の合流位置から左方に向かって
延在した後、上方に湾曲しながら延在して搬送ガイド２９に合流している。具体的には、
搬送ガイド８９の上端は搬送ローラ３１の下方の搬送ガイド２９に合流する。搬送ガイド
８９は、メインフレーム４に固定される。搬送ガイド８９は、搬送ローラ対８７の逆転に
よって搬送ガイド７３を案内された用紙を搬送ガイド２９に向けて案内する。
【００７７】
搬送ローラ対７８、７９は、搬送ローラ８７の逆転によって搬送される用紙を、搬送ガ
イド８９に向けて搬送する。
【００７８】
搬送ローラ対９１は、搬送ガイド８９の途中に配置されている。搬送ローラ対９１は、
メインフレーム４に固定される。搬送ローラ対９１の一方のローラは制御部１００の指令
を受けることによって駆動されるモータ（不図示）によって回転させられる駆動ローラで
あり、他方のローラは駆動ローラの回転に伴って回転する従動ローラである。搬送ローラ
対９１は、搬送ガイド８９によって案内される用紙を搬送ガイド２９に向けて搬送する。
【００７９】
＜姿勢変化部２１＞
姿勢変化部２１は、第１支持部９３を回動することにより、第１搬送部７及び第１記録
ヘッド９の角度姿勢を変化させる。図４に示すように、姿勢変化部２１は、付勢部１０１
と、第１支持部９３を回動させる駆動機構９５とを有する。
【００８０】
付勢部１０１は、当接部９９と支持板１０９との間に配置されたバネである。バネの下
端が当接部９９に固定され、上端が支持板１０９に固定されている。バネの全長は支持板
１０９と当接部９９との長さよりも長く、バネは圧縮された状態で取り付けられている。
付勢部１０１は、当接部９９を下方に向けて付勢する。当接部９９が付勢部１０１によっ
て下方に付勢されることで、偏心カム１１１の回転に伴って第１支持部９３が確実に回動
する。
【００８１】
図４に示すように、駆動機構９５は、偏心カム１１１とモータ１１４と３つのギア１１
５、１１６、１１７とを有している。
【００８２】
偏心カム１１１は、回転中心軸が重心とは異なる位置にあるカムである。偏心カム１１
１は、メインフレーム４に回転可能に支持される。偏心カム１１１の回転中心軸は、ベル
トローラ３３の回転中心軸よりも右側に配置されている。偏心カム１１１の上面は、当接
部９９の下面１００と当接する。
【００８３】
ギア１１５は制御部１００の指令を受けることによって駆動されるモータ１１４の駆動
を伝達するものである。ギア１１６はギア１１５に噛み合うギアであり、ギア１１７はギ
ア１１６に噛み合うギアである。また、ギア１１７は偏心カム１１１と共に回転するギア
である。ギア１１７及び偏心カム１１１は、メインフレーム４に回転可能に支持された同
じ回転軸に固定され、同一の回転中心を有する。モータ１１４が駆動すると、３つのギア
１１５，１１６，１１７によってモータ１１４の駆動が偏心カム１１１に伝達されて偏心
カム１１１が回転する。３つのギア１１５，１１６，１１７は、メインフレーム４に回転
可能に支持され、モータ１１４は、メインフレーム４に固定される。
【００８４】
偏心カム１１１が回転すると、偏心カム１１１の上面の高さが変化する。偏心カム１１
１の上面の高さの変化に伴って、当接部９９の高さが変化する。当接部９９の高さの変化
に伴って、第１支持部９３全体がベルトローラ３３を回転中心として回動する。
【００８５】
以上説明したように、姿勢変化部２１が第１支持部９３を回動させることにより、第１
搬送部７及び第１記録ヘッド９の角度姿勢が変化する。第１搬送部７が第１角度姿勢にあ
るとき、搬送ベルト３７の支持面３８と搬送ベルト５９の支持面６０とが略同一平面状で
ある。つまり、第１搬送部７が第１角度姿勢にあるとき、第１搬送部７により規定される
搬送経路は第２搬送部１１により規定される搬送経路にならっている。一方、第１搬送部
７が第２角度姿勢にあるとき、搬送ベルト３７の支持面３８と搬送ガイド７２の延出方向
とが略同一平面状である。つまり、第１搬送部７が第２角度姿勢にあるとき、第１搬送部
７により規定される搬送経路は第３搬送部１５により規定される搬送経路にならっている
。
【００８６】
＜記録動作＞
次に、インクジェットプリンタ１の両面カラー記録動作、及び両面モノクロ記録動作に
ついて以下に説明する。なお、用紙の片面におけるカラー及びモノクロ記録動作は、後述
の両面記録動作において、片面に画像が記録された後はそのまま排紙トレイ３に排紙され
るだけであるため、詳細については省略する。
【００８７】
ＰＣ（パーソナルコンピュータ）などから用紙の両面にカラー画像を記録する記録デー
タが制御部１００に送信されると、制御部１００は第１搬送部７が図１に示す第１角度姿
勢となるように駆動機構９５を制御する。
【００８８】
制御部１００は、用紙が給紙カセット２３から搬送ガイド２９を経て第１搬送部７に搬
送されるように、給紙ローラ２７及び搬送ローラ対３１を制御する。
【００８９】
制御部１００は、用紙が搬送ベルト３７に接着されながら右方に搬送されるように第１
搬送部７を制御する。制御部１００は、用紙が搬送ベルト３７に到達するよりも前に、搬
送ベルト３７の外周面が用紙を接着する接着力を有しつつ用紙を搬送するよう第１搬送部
７を制御する。ここで、第１搬送部７は第１角度姿勢にあるため、用紙は、水平に位置す
る搬送ベルト３７の支持面３８に沿って右方に搬送される。用紙の先端が用紙センサ４４
に到達すると、用紙センサ４４は検知信号を制御部１００に出力する。用紙センサ４４が
出力した前記検知信号を受信した制御部１００は、用紙センサ４４によって用紙の先端が
検知されてから用紙が第１記録ヘッド９と対向する領域を通過する所定時間経過後に、第
１記録ヘッド９からインクが吐出されるように第１記録ヘッド９を制御する。
【００９０】
制御部１００は、搬送ガイド６７を経て第２搬送部１１に搬送された用紙が、搬送ベル
ト５９に接着されながら右方に搬送されるように第２搬送部１１を制御する。用紙センサ
４４が出力した前記検知信号を受信した制御部１００は、用紙センサ４４によって用紙の
先端が検知されてから用紙が第２記録ヘッド１３と対向する領域を通過する所定時間経過
後に第２記録ヘッド１３からインクが吐出されるように第２記録ヘッド１３を制御する。
用紙は第１記録ヘッド９及び第２記録ヘッド１３の各吐出面４５、６９と対向するように
搬送され、用紙の表面の所望位置にカラー画像が記録される。
【００９１】
制御部１００は、搬送ベルト５９によって搬送された用紙が搬送ガイド８１を通って排
紙トレイ３側に搬送されるように搬送ローラ対８５、８７を制御する。用紙の後端が用紙
センサ８８に到達すると、用紙センサ８８は制御部１００に検知信号を出力する。用紙セ
ンサ８８が出力した前記検知信号を受信した制御部１００は、搬送ローラ対８７が先の回
転方向とは逆方向に回転するように搬送ローラ対８７を制御する。
【００９２】
制御部１００は、搬送ローラ対８７の逆転によって搬送された用紙が搬送ガイド７３、
８９を通って搬送ローラ対３１に搬送されるように、搬送ローラ対７９、７８、９１を制
御する。搬送ローラ対３１に到達した用紙は、記録面の表裏が裏返った状態となっている
。制御部１００は、当該用紙を第１搬送部７に搬送するように搬送ローラ対３１を制御す
る。
【００９３】
制御部１００は、用紙の表面に画像を記録したときと同様に第１搬送部７、第１記録ヘ
ッド９、第２搬送部１１、第２記録ヘッド１３を制御し、用紙の裏面に所望のカラー画像
を記録させる。制御部１００は、両面に画像が形成された用紙を排紙トレイ３に排紙する
ように、搬送ローラ対８７を制御する。こうして、両面カラー記録動作が終了する。
【００９４】
用紙の両面にモノクロ画像を記録する場合、ＰＣ（パーソナルコンピュータ）などから
用紙の両面にモノクロ画像を記録する記録データが制御部１００に送信されると、制御部
１００は第１搬送部７が図２に示す第２角度姿勢となるように駆動機構９５を制御する。
【００９５】
制御部１００は、用紙が給紙カセット２３から搬送ガイド２９を経て第１搬送部７に搬
送されるように、給紙ローラ２７及び搬送ローラ対３１を制御する。
【００９６】
制御部１００は、用紙が搬送ベルト３７に接着されながら右方に搬送されるように第１
搬送部７を制御する。このとき、第１搬送部７は第２角度姿勢にあるため、用紙は搬送ベ
ルト３７の支持面３８に沿って右斜め下方に搬送される。制御部１００は、用紙センサ４
４によって用紙の先端が検知されてから用紙が第１記録ヘッド９と対向する領域を通過す
る所定時間経過後に第１記録ヘッド９からインクが吐出されるように第１記録ヘッド９を
制御する。
【００９７】
制御部１００は、第１搬送部７から搬送された用紙が第３搬送部１５によって排紙トレ
イ３側に搬送されるように搬送ローラ対７８、７９、８５、８７を制御する。これにより
、用紙は第１記録ヘッド９の吐出面４５と対向するように搬送され、用紙の表面の所望位
置にモノクロ画像が記録される。そして、用紙センサ８８によって用紙の後端が検知され
たときに、制御部１００は搬送ローラ対８７が先の回転方向とは逆方向に回転するように
搬送ローラ対８７を制御する。
【００９８】
制御部１００は、用紙が搬送ガイド７３、８９を通って搬送ローラ対３１に搬送される
ように、搬送ローラ対７９、７８、９１を制御する。そして、搬送ローラ対３１に到達し
た用紙は、記録面の表裏が裏返った状態となっている。制御部１００は、当該用紙を第１
搬送部７に搬送するように搬送ローラ対３１を制御する。
【００９９】
制御部１００は、用紙の表面に画像を記録したときと同様に第１搬送部７、第１記録ヘ
ッド９、第３搬送部１５を制御し、用紙の裏面に所望のモノクロ画像を形成する。そして
、制御部１００は、両面に画像が形成された用紙を排紙トレイ３に排紙するように、搬送
ローラ対７８、７９、８５、８７を制御する。こうして、用紙に対する両面モノクロ記録
動作が終了する。
【０１００】
用紙の両面にモノクロ画像が記録される場合、用紙は第２搬送部１１によって搬送され
ずに第３搬送部１５によって搬送される。つまり、用紙の両面にモノクロ画像が記録され
る場合、第２搬送部１１によって規定される搬送経路とは異なる経路を規定する第３搬送
部１５によって搬送される。そのため、第２搬送部１１の搬送ベルト５９に対向する第２
記録ヘッド１３の吐出面６９に紙粉などの異物が付着するのを抑制することができる。第
２記録ヘッド１３の吐出面６９への異物の付着を抑制できるため、第２記録ヘッド１３が
ノズルからインクを空吐出するフラッシングやパージなどのメンテナンスを行う頻度を減
らすことができる。その結果、メンテナンスによるインクの消費量を抑制できる。なお、
第１搬送部７が第２角度姿勢にあるとき、第２記録ヘッド１３の吐出面６９を密閉するキ
ャッピングを行っても良い。キャッピングは、第２記録ヘッド１３の周囲を囲むように配
置された環状のキャップ（不図示）を搬送ベルト５９の支持面６０に当接させることによ
って行われる。これにより、第２記録ヘッド１３の吐出面６９がキャップ及び支持面６０
によって覆われ、吐出面６０が密閉される。キャッピングを行うことによって、第２記録
ヘッド１３がメンテナンスを行う頻度をさらに減らすことができる。
【０１０１】
＜第１実施形態の効果＞
上述の実施形態において、用紙を接着しつつ用紙に搬送力を付与する第１搬送部７の角
度姿勢が、第１角度姿勢と第２角度姿勢とに変化する。第１搬送部７が図１に示す第１角
度姿勢にあるとき、搬送ベルト３７及び搬送ベルト５９の各支持面３８、６０は略同一平
面状である。そのため、第１搬送部７と第２搬送部１１とをつなぐ搬送経路には屈曲がほ
とんどない。用紙は、特に大きな搬送抵抗を受けることなく、第１搬送部７から第２搬送
部１１に搬送される。ここで、搬送抵抗とは、用紙の搬送方向とは逆方向に働く力である
。用紙に対して大きな搬送抵抗が生じないため、用紙の搬送速度が瞬間的に大きく低下し
ない。用紙が第１搬送部７から第２搬送部１１へ搬送されるときに、第１記録ヘッド９に
よる画像の記録が行われていたとしても、記録される画像の品質が瞬間的な搬送速度の変
化により低下することを確実に抑制できる。
【０１０２】
一方、第１搬送部７が図２に示す第２角度姿勢にあるとき、搬送ベルト３７の支持面３
８は右下がりに斜めに傾き、支持面３８と搬送ガイド７１とが略同一平面状である。その
ため、第１搬送部７と第３搬送部１５とをつなぐ搬送経路には屈曲がほとんどない。そし
て、搬送ベルト３７は用紙を接着して搬送するため、搬送ベルト３７の支持面３８が、右
下がりに斜めに傾いている場合であっても、用紙は搬送ベルト３７の支持面３８に接着さ
れて搬送ベルト３７の支持面３８に沿って搬送される。用紙は、特に大きな搬送抵抗を受
けることなく、第１搬送部７から第３搬送部１１に搬送される。用紙に対して大きな搬送
抵抗が生じないため、用紙の搬送速度が瞬間的に大きく低下しない。用紙が第１搬送部７
から第３搬送部１５へ搬送されるときに、第１記録ヘッド９による画像の記録が行われて
いたとしても、記録される画像の品質の低下を確実に抑制できる。
【０１０３】
以上説明した第１実施形態によると、装置の大型化を防ぎ、かつ、インクの消費量を抑
制し、かつ、画像品質の低下を抑制することができる。
【０１０４】
仮に、第１搬送部７が角度姿勢を変化しない構成である場合、第１搬送部７と第３搬送
部１５とを繋ぐ搬送経路の屈曲を小さくしようとすると、両搬送部の間隔を大きくする必
要があり、装置が大型化してしまう。両搬送部の間隔を小さくして装置の大型化を防ごう
とすると、第１搬送部７と第３搬送部１５とを繋ぐ搬送経路の屈曲は大きくなってしまう
。そして、第１搬送部７から搬送された用紙を第２搬送部１１に案内するか第３搬送部１
５に案内するかの切換を、搬送力を付与しないフラッパによって行うと、第１搬送部７に
よって搬送される用紙の先端をフラッパに衝突させることで用紙の搬送向きを急激に変え
ることとなる。用紙の先端がフラッパに衝突すると、用紙に瞬間的に大きな搬送抵抗が生
じる。すると、用紙の搬送速度が瞬間的に大きく低下し、第１記録ヘッド９によって記録
される画像が乱れてしまう。
【０１０５】
上述の実施形態において、第１支持部９３は、ベルトローラ３３を回転中心として回動
する。これにより、第１搬送部７が第１角度姿勢にあっても、第２角度姿勢にあっても、
ベルトローラ３３の位置が変わらない。そのため、給紙部５によって搬送された用紙が搬
送ベルト３７に到達したときに、第１搬送部７の角度姿勢に関わらず、搬送ベルト３７に
よって用紙を安定して搬送することができる。
【０１０６】
上述の実施形態において、第１支持部９３は偏心カム１１１の回転によって回動する。
詳細には、偏心カム１１１の上面の高さによって当接部９９の高さが決まり、第１搬送部
７を支持する第１支持部９３が回動する。つまり、第１支持部９３は偏心カム１１１の高
さによって位置が決められるため、第１支持部９３を正確に位置決めすることができる。
また、当接部９９が偏心カム１１１に接近する向きに付勢する付勢部１０１が設けられて
いるため、偏心カム１１１の回転に連動させて第１支持部９３を確実に回動させることが
できる。
【０１０７】
＜第１実施形態の変形例＞
第１搬送部７は、１つのベルトユニット６を有し、搬送ベルト３７の支持面３８に用紙
を接着させて搬送するとしたが、これに限らない。第１搬送部７は、ベルトユニット６に
代えて、第１記録ヘッド９よりも上流側及び下流側に配置された搬送ローラ対と、第１記
録ヘッド９の吐出面４５に対向して配置され用紙を支持するプラテンとを有しても良い。
この場合には、プラテンに用紙を接着させる接着手段を設ける。接着手段には、例えば、
特開平７−３３０１８５号公報などに示される一対の櫛歯電極が用いられる。一対の櫛歯
電極は、それぞれ左右方向に沿って延びる複数の長尺部を有する。複数の長尺部はそれぞ
れ前後方向に並設されている。一対の櫛歯電極は、互いに短絡しないように所定の間隔を
隔てて配置されている。そして、これら電極に電圧を印加することでプラテンに静電気に
よる接着力を発生させても良い。
【０１０８】
第２搬送部１１は、１つのベルトユニット１２を有し、搬送ベルト５９の支持面６０に
用紙を接着させて搬送するとしたが、これに限らない、第２搬送部１１は、ベルトユニッ
ト１２に代えて、第２記録ヘッド１３よりも上流側及び下流側に配置された搬送ローラ対
と、第１記録ヘッド９の吐出面４５に対向して配置され用紙を支持するプラテンとを有し
ても良い。この場合には、第２搬送部１１は、プラテンの支持面に用紙を接着させる接着
手段を備えていなくても良い。
【０１０９】
ベルトユニット６は、ベルトローラ３３、第１帯電ローラ４１、第１直流電源４３によ
って搬送ベルト３７に静電気による接着力を発生させているが、これに限らない。また、
ベルトユニット１２は、ベルトローラ５５、第２帯電ローラ、第２第１直流電源によって
搬送ベルト５９に静電気による接着力を発生させているが、これに限らない。例えば、プ
ラテン板４０、６３の搬送ベルト３７、５９と接触する面に、一対の櫛歯電極を設ける。
一対の櫛歯電極は、それぞれ左右方向に沿って延びる複数の長尺部を有する。複数の長尺
部はそれぞれ前後方向に並設されている。一対の櫛歯電極は、互いに短絡しないように所
定の間隔を隔てて配置されている。そして、これら電極に電圧を印加することで搬送ベル
ト３７、５９に静電気による接着力を発生させても良い。この場合には、第１帯電ローラ
４１及び第２帯電ローラを備えなくても良い。
【０１１０】
搬送ベルト３７、５９は、静電気力によって用紙を搬送ベルト３７、５９の支持面３８、
６０に接着させる構成であるが、これに限らない。例えば、搬送ベルト３７、５９は粘着
性を有し、粘着力によって用紙を接着させても良い。また、搬送ベルト３７、５９は搬送
ベルト３７、５９に設けられた孔から空気が吸引される構成を備え、吸引力によって用紙
を接着させても良い。
【０１１１】
搬送ベルト３７、５９が架け渡されるベルトローラ３３、３５、５５、５７のうちの搬
送方向上流側のベルトローラ３３、５５が駆動ローラであるとしたが、搬送方向下流側の
ベルトローラ３５、３７が駆動ローラでも良い。
【０１１２】
第１搬送部７が第１角度姿勢にあるとき、搬送ベルト３７、５９の各支持面３８、６０
は略同一平面状にあるとしたが、これに限らない。第２搬送部１１が第１搬送部７よりも
上方もしくは下方に配置されていても良い。このとき、第１搬送部７の第１角度姿勢は、
搬送ベルト３７の支持面３８により規定される搬送経路が搬送ベルト５９の支持面６０に
より規定される搬送経路にならう角度姿勢に決められる。また、第３搬送部１５は第１搬
送部７よりも下方に配置されるとしたが、これに限らない。第３搬送部１５が第１搬送部
７よりも上方もしくは同じ高さに配置されていても良い。このとき、第１搬送部７の第２
角度姿勢は、搬送ベルト３７の支持面３８により規定される搬送経路が搬送ガイド７１、
７３により規定される搬送経路にならう角度姿勢に決められる。なお、第３搬送部１５が
第１搬送部７と同じ高さとは、搬送ベルト３７の支持面３８と搬送ガイド７１、７３の延
出方向とが略同一平面状に配置される高さである。
【０１１３】
第１記録ヘッド９は、ブラックのインクを吐出するモノクロ用の記録ヘッドであるとし
たが、これに限らない。例えば、第１記録ヘッド９はカラー用のインクを吐出する記録ヘ
ッドであっても良い。また、第１記録ヘッド９は、インク以外の液体を吐出するヘッドで
あっても良い。例えば、第１記録ヘッド９が吐出する液体は、インクの用紙への定着を促
したり、インクの発色性を高める等の目的でインクを吐出する前に用紙に対して吐出する
前処理用の液体であっても良い。
【０１１４】
第２記録ヘッド１３は、マゼンタ、シアン、イエローのインクをそれぞれ吐出するカラ
ー用の３つの記録ヘッドで構成したが、これに限らない。例えば、第２記録ヘッド１３は
ライトマゼンタ、ライトシアン等の他の色のインクをさらに吐出できるように３つ以上の
記録ヘッドであっても良い。また、ブラックのインクを吐出するモノクロ用の記録ヘッド
であっても良い。さらに、第２記録ヘッド１３は、インク以外の液体を吐出するヘッドで
あっても良い。例えば、第２記録ヘッド１３が吐出する液体は、用紙へのインクの定着を
促したり、インクの発色性を高める等の目的でインクを吐出した後に用紙に対して吐出す
る後処理用の液体であっても良い。
【０１１５】
第１支持部９３は、第１搬送部７及び第１記録ヘッド９を支持する構成であるが、第１
搬送部７だけを支持していても良い。この場合、第１記録ヘッド９は別の部材によって支
持される。さらに、第１記録ヘッド９の角度姿勢は、第１搬送部７の角度姿勢に関わらず
、第１記録ヘッド９の吐出面４５と搬送ベルト３７の支持面３８とが所定の間隔を隔てて
対向するように変化する。
【０１１６】
第１支持部は、第１帯電ローラ４１を除くベルトユニット６を支持する構成であるが、
これに限らず、第１帯電ローラ４１を含むベルトユニット６全体を支持していても良い。
また、第１支持部９３は、ベルトユニット６のうち、少なくともベルトローラ３３、３５
を支持していれば良い。
【０１１７】
姿勢変化部２１は、偏心カム１１１の回転により第１搬送部７及び第１記録ヘッド９を
回動させる構成であるが、これに限らない。第１搬送部７及び第１記録ヘッド９を回動さ
せることが可能な構成であれば、他の構成であっても良い。例えば、第１支持部９３は上
下方向に延びるラックギアを備え、駆動機構９５はラックギアと噛み合うピニオンギアと
駆動伝達機構とを備える。ピニオンギアの回転により、ラックギアを備える第１支持部９
３がベルトローラ３３を中心に回動するように構成しても良い。
【０１１８】
姿勢変化部２１は付勢部１０１を有する構成であるが、付勢部１０１を備えていなくて
も良い。また、偏心カム１１１の上面と当接部９９の下面１００とが当接する構成である
が、偏心カム１１１の下面と当接部９９の上面とが当接するように構成しても良い。この
場合には、付勢部を備え、付勢部によって当接部９９が偏心カム１１１に接近する向きに
付勢される。
【０１１９】
用紙の両面にカラー画像を記録する記録データが制御部１００に送信されると、制御部
１００は、第１搬送部７が第１角度姿勢となるように駆動機構９５を制御しているが、制
御部１００は、用紙が第１搬送部７に到達するよりも前に第１搬送部７が第１角度姿勢と
なるように駆動機構９５を制御すれば良い。また、用紙の両面にモノクロ画像を記録する
記録データが制御部１００に送信されると、制御部１００は、第１搬送部７が第２角度姿
勢となるように駆動機構９５を制御しているが、制御部１００は、用紙が第１搬送部７に
到達するよりも前に第１搬送部７が第２角度姿勢となるように駆動機構９５を制御すれば
良い。用紙の両面に画像を記録する記録データであって、用紙の表面にカラー画像を記録
し且つ当該用紙の裏面にモノクロ画像を記録する記録データが制御部１００に送信された
場合には、制御部１００は、用紙の表面に画像を記録する際には、第１搬送部７が第１角
度姿勢となるように駆動機構９５を制御し、当該用紙の裏面に画像を記録する際には、第
１搬送部７が第２角度姿勢となるように駆動機構９５を制御すれば良い。つまり、制御部
１００は、用紙にカラー画像を記録する際には、第１搬送部７が第１角度姿勢となるよう
に駆動機構９５を制御し、用紙にモノクロ画像を記録する際には、第１搬送部７が第２角
度姿勢となるように駆動機構９５を制御すれば良い。
【０１２０】
＜第２実施形態＞
続いて、本発明の第２実施形態によるインクジェットプリンタ２０１について、図６及
び図７を参照しつつ以下に説明する。第２の実施形態において、第１実施形態と同様な構
成部分に関しては同一符号を付してその説明を省略する。
【０１２１】
本実施形態のインクジェットプリンタ２０１は、第１搬送部２０３が第１実施形態とは
異なっている。なお、第１搬送部２０３の構成が第１実施形態と異なることで、第１支持
部９３、搬送ガイド６７、７１の構成が第１実施形態と一部異なっているが、ほぼ同様な
ものであるため、同一符号で示している。
【０１２２】
＜第１支持部９３＞
第１支持部９３は、後述するベルトユニット２０４を支持する。第１支持部９３は、第
１実施形態と同様に、姿勢変化部２１により回動される。第１支持部９３の壁１０３，１
０４には、後述するベルトローラ２１１、２１２が挿入される挿入孔（不図示）がそれぞ
れ設けられる。ベルトローラ２１１は、壁１０３、１０４の貫通孔及びメインフレーム４
の貫通孔に回転可能に挿入される。これにより、第１支持部９３は、ベルトローラ２１１
を回転中心として回動する。
【０１２３】
壁１０５、１０６は、壁１０３、１０４の間を繋ぐように延在する板状の部材である。
第１実施形態において、壁１０５、１０６は、第１記録ヘッド９を左右から挟みこむよう
に配置されていたが、第２実施形態においては、第１記録ヘッド９を挟み込むように配置
されていない。
【０１２４】
＜第１搬送部２０３＞
図６に示すように、第１搬送部２０３は、給紙部５によって搬送がなされた用紙を右方
に搬送する。第１搬送部２０３は、２つのベルトユニット２０２、２０４を有している。
ベルトユニット２０２とベルトユニット２０４とは左右方向に並設される。
【０１２５】
ベルトユニット２０２は、ベルトローラ２０９、２１０、搬送ベルト２０５、プラテン
板２１５、押えローラ２１３、第３帯電ローラ（不図示）を有する。ベルトユニット２０
２の構成は、第１実施形態におけるベルトユニット６、１２の構成とほぼ同様であるので
、詳しい説明は省略する。ベルトローラ２０９、２１０の高さがベルトローラ５５と同じ
高さに位置決めされ、ベルトユニット２０２はメインフレーム４に支持される。ベルトユ
ニット２０２により搬送される用紙は搬送ベルト２０５の外周面のうちの上側の面である
支持面２０６に沿って水平に右方へ搬送される。
【０１２６】
ベルトユニット２０４は、ベルトローラ２１１、２１２、搬送ベルト２０７、プラテン
板２１７、第４帯電ローラ（不図示）を有する。ベルトユニット２０４の構成は、第１実
施形態におけるベルトユニット６、１２とほぼ同様であるので、詳しい説明は省略する。
ベルトユニット２０４は、搬送ベルト２０７の外周面に用紙を接着させる押えローラを有
していない。ベルトユニット２０４は、第１実施形態のベルトユニット６と同様に第１支
持部９３に支持される。具体的には、ベルトローラ２１１は第１支持部９３の壁１０３、
１０４に設けられた貫通孔に挿入され、かつ、メインフレーム４に設けられた挿入孔に挿
入される。ベルトユニット２０４の角度姿勢は、第１支持部９３の回動に伴って、第１角
度姿勢と第２角度姿勢とに変化する。
【０１２７】
第２実施形態においては、２つのベルトユニット２０２、２０４のうちの右側、つまり
用紙の搬送方向下流側に配置されたベルトユニット２０４の角度姿勢だけが、第１角度姿
勢と第２角度姿勢とに変化する。即ち、第１実施形態においては、第１搬送部７全体の角
度姿勢が変化したが、第２実施形態においては、第１搬送部２０３の一部であるベルトユ
ニット２０４の角度姿勢だけが変化する。
【０１２８】
ベルトユニット２０４が第１角度姿勢にあるとき、ベルトローラ２１２はベルトローラ
２１１と同じ高さに位置しており、搬送ベルト２０７の外周面のうちの上側の面である支
持面２０８が水平面に沿う。そのため、ベルトユニット２０４が第１角度姿勢にあるとき
、搬送ベルト２０７によって搬送される用紙は、水平に位置する搬送ベルト２０７の支持
面２０８に沿って右方に搬送される。即ち、ベルトユニット２０４が第１角度姿勢にある
とき、第１搬送部２０３によって搬送される用紙は、搬送ベルト２０５の支持面２０６に
沿って水平に右方に搬送された後、搬送ベルト２０７の支持面２０８に沿って水平に右方
に搬送される。
【０１２９】
一方、ベルトユニット２０４が第２角度姿勢にあるとき、ベルトローラ２１２はベルト
ローラ２１１よりも下方に位置しており、搬送ベルト２０７の支持面２０８は右下がりに
斜めに傾く。そのため、ベルトユニット２０４が第２角度姿勢にあるとき、搬送ベルト２
０７によって搬送される用紙は、搬送ベルト２０７の支持面２０８に沿って右斜め下方に
搬送される。ベルトユニット２０４が第２角度姿勢にあるとき、第１搬送部２０３によっ
て搬送される用紙は、搬送ベルト２０５の支持面２０６に沿って水平に右方に搬送された
後、搬送ベルト２０７の支持面２０８に沿って右斜め下方に搬送される。第１搬送部２０
３によって規定される用紙の搬送経路は、２つの搬送ベルト２０５、２０７の支持面２０
６、２０８によって規定される。
【０１３０】
＜第１記録ヘッド２１９＞
第１記録ヘッド２１９は、制御部１００の指令を受けることによって駆動されるもので
あり、第１搬送部２０３の搬送ベルト２０５によって搬送される最中の用紙に対してイン
クを吐出する。
【０１３１】
第１記録ヘッド２１９は、吐出面２２０が搬送ベルト２０５の支持面２０６と所定の間
隔を隔てて対向するように位置決めされ、メインフレーム４に固定される。つまり、第１
記録ヘッド２１９は角度姿勢が変化しない。
【０１３２】
＜姿勢変化部２１＞
姿勢変化部２１は、第１支持部９３を回動させる駆動機構９５を有する。姿勢変化部２
１は、ベルトローラ２１１を回転中心として第１支持部９３を回動させ、ベルトユニット
２０４の角度姿勢を第１角度姿勢と第２角度姿勢とに変化させる。
【０１３３】
＜第２実施形態の効果＞
上述の実施形態において、記録媒体に対して搬送力を付与し、記録媒体を接着する第１
搬送部２０３の一部であるベルトユニット２０４の角度姿勢は第１姿勢と第２姿勢とに変
化する。ベルトユニット２０４が第１角度姿勢にあるとき、３つの搬送ベルト２０５、２
０７、５９の各支持面２０６、２０８、６０は同一平面状である。第１搬送部２０３と第
２搬送部１１とをつなぐ搬送経路には屈曲がほとんどない。用紙は、特に大きな搬送抵抗
を受けることなく、第１搬送部２０３から第２搬送部１１に搬送される。用紙が第１搬送
部２０３から第２搬送部１１へ搬送されるときに、第１記録ヘッド２１９による画像の記
録が行われていたとしても、記録される画像の品質の低下を確実に抑制できる。
【０１３４】
ベルトユニット２０４が第２角度姿勢にあるとき、搬送ベルト２０７の支持面２０８は
、右下がりに斜めに傾いている。搬送ベルト２０７は、用紙を接着しつつ用紙に搬送力を
付与するものである。そのため、搬送ベルト２０７の支持面２０８が右下がりに斜めに傾
いている場合であっても、用紙は搬送ベルト２０７の支持面２０８に接着されるため搬送
ベルト２０７の支持面２０８に沿って搬送される。つまり、搬送ベルト２０５から搬送ベ
ルト２０７へ用紙が搬送される場合に、搬送ベルト２０７に先端が到達した用紙は、搬送
ベルト２０７の支持面２０８に接着されることによって搬送方向が変えられる。そのため
、搬送力を付与しないフラッパを用いて用紙の搬送方向の切換を行う場合と比較して、用
紙に生じる搬送抵抗が小さくなる。即ち搬送力を付与しないフラッパによって用紙の搬送
方向の切換を行う場合には、用紙の先端をフラッパに衝突させて用紙の搬送方向が変えら
れることから、用紙に生じる搬送抵抗が大きくなるが、本実施形態では、用紙を接着して
搬送方向が切り換えられ、用紙に大きな搬送抵抗が生じない。
【０１３５】
上述の実施形態においては、用紙の先端が搬送ベルト２０７の支持面２０８に接着され
て用紙の搬送方向が変えられる。その結果、用紙に生じる搬送抵抗は、フラッパを用いた
場合と比較して、小さくなる。用紙が第１搬送部７から第２搬送部１１へ搬送されるとき
に、第１記録ヘッド９による画像の記録が行われていたとしても、記録される画像の品質
の低下を抑制できる。
【０１３６】
＜第２実施形態の変形例＞
第１搬送部２０３は、２つのベルトユニット２０２、２０４を有する構成であるが、こ
れに限らない。ベルトユニット２０２、２０４に代えて搬送ローラ対とプラテンにより構
成されていても良い。また、搬送ベルト２０５は、搬送ベルト２０５の支持面２０６に用
紙を接着させて搬送する構成であるが、これに限らない。
【０１３７】
搬送ベルト２０５、２０７は、ベルトローラ２０９、２１１及び第１、第２帯電ローラ
によって搬送ベルト２０５、２０７に静電気による接着力を発生させているが、これに限
らない。プラテン板２１５、２１７の搬送ベルト２０５、２０７と接触する面に、一対の
櫛歯電極を設ける。一対の櫛歯電極は、それぞれ左右方向に沿って延びる複数の長尺部を
有する。複数の長尺部はそれぞれ前後方向に並設されている。一対の櫛歯電極は、互いに
短絡しないように所定の間隔を隔てて配置されている。これら電極に電圧を印加すること
で搬送ベルト２０５、２０７に静電気による接着力を発生させても良い。
【０１３８】
搬送ベルト２０５、２０７は、静電気力によって用紙を搬送ベルトの外周面に接着させ
る構成であるが、これに限らない。例えば、搬送ベルト２０５、２０７は粘着性を有し、
粘着力によって用紙を接着させても良い。また、搬送ベルト２０５、２０７は搬送ベルト
２０５、２０７に設けられた孔から空気が吸引される構成を備え、吸引力によって用紙を
接着させても良い。
【０１３９】
搬送ベルト２０５、２０７が架け渡されるベルトローラ２０９、２１０及びベルトロー
ラ２１１、２１２のうちの搬送方向上流側のベルトローラ２０９、２１１が駆動ローラで
あるとしたが、搬送方向下流側のベルトローラ２１０、２１２が駆動ローラでも良い。
【０１４０】
搬送ベルト２０７の外周面に用紙を接着させる押えローラは配置されていない構成であ
るが、回転自在な押えローラを配置しても良い。この場合、搬送ベルト２０５から搬送ベ
ルト２０７に搬送されてきた用紙の先端が押えローラに衝突するが、押えローラを回転自
在とすることで用紙に対して生じる搬送抵抗を抑制することができる。
【０１４１】
搬送ベルト２０７が第１角度姿勢にあるとき、搬送ベルト２０７、５９の各支持面２０
８、６０は同一平面状にあるとしたが、これに限らない。第２搬送部１１が搬送ベルト２
０７よりも上方もしくは下方に配置されていても良い。このとき、搬送ベルト２０７の第
１角度姿勢は、搬送ベルト２０５、２０７の支持面２０６、２０８により規定される搬送
経路が搬送ベルト５９の支持面６０により規定される搬送経路にならう角度姿勢に決めら
れる。また、第３搬送部１５は搬送ベルト２０７よりも下方に配置されるとしたが、これ
に限らない。第３搬送部１５が搬送ベルト２０７よりも上方もしくは同じ高さに配置され
ていても良い。このとき、搬送ベルト２０７の第２角度姿勢は、搬送ベルト２０５、２０
７の支持面２０６、２０８により規定される搬送経路が搬送ガイド７１、７３により規定
される搬送経路にならう角度姿勢に決められる。なお、第３搬送部１５が搬送ベルト２０
７と同じ高さとは、搬送ベルト２０７の支持面２０８と搬送ガイド７１、７３とが同一平
面状に配置される高さである。
【符号の説明】
【０１４２】
７・・・第１搬送部
９・・・第１記録ヘッド
１１・・・第２搬送部
１３・・・第２記録ヘッド
１５・・・第３搬送部
２１・・・姿勢変化部
３３、３５・・・ベルトローラ
３７・・・搬送ベルト
４１・・・第１帯電ローラ
９３・・・第１支持部
９５・・・駆動機構
９９・・・当接部
１０１・・・付勢部
１１１・・・偏心カム
【図１】
0005577893.tif 000002
【図２】
0005577893.tif 000003
【図３】
0005577893.tif 000004
【図４】
0005577893.tif 000005
【図５】
0005577893.tif 000006
【図６】
0005577893.tif 000007
【図７】
0005577893.tif 000008